【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
１対のグレージングパネル；及び
グレージングパネルの間に配置されてそれぞれと接触しており、ＨＵＤ領域を画定し、ＨＵＤ領域は少なくとも１つの変動角度の区域を含むテーパー状の縦方向の厚さプロファイルを有するポリマー中間膜；
を含むフロントガラスであって、
フロントガラスは、そのフロントガラスに関する標準取付条件において測定して、２分未満の上部アイボックス反射二重像分離距離、及び２分未満の下部アイボックス反射二重像分離距離の少なくとも１つを示す上記フロントガラス。
【請求項２】
フロントガラスは、そのフロントガラスに関する標準取付条件において測定して、２分未満の上部アイボックス反射二重像分離距離、及び２分未満の下部アイボックス反射二重像分離距離の両方を示す、請求項１に記載のフロントガラス。
【請求項３】
フロントガラスは、そのフロントガラスに関する標準取付条件において測定して、１分未満の上部アイボックス反射二重像分離距離、及び１分未満の下部アイボックス反射二重像分離距離の少なくとも１つを示す、請求項１に記載のフロントガラス。
【請求項４】
ＨＵＤ領域は、ＨＵＤ領域の少なくとも一部にわたって増加する縦方向のくさび角度プロファイルを有する、請求項１に記載のフロントガラス。
【請求項５】
ＨＵＤ領域は、ＨＵＤ領域の少なくとも一部にわたって減少する縦方向のくさび角度プロファイルを有する、請求項１に記載のフロントガラス。
【請求項６】
ＨＵＤ領域は、ＨＵＤ領域の少なくとも一部にわたって一定に維持される縦方向のくさび角度プロファイルを有する、請求項１に記載のフロントガラス。
【請求項７】
テーパー状の縦方向の厚さプロファイルは少なくとも２つの変動角度の区域を含む、請求項１に記載のフロントガラス。
【請求項８】
テーパー状の縦方向の厚さプロファイルは一定角度の区域を含まない、請求項１に記載のフロントガラス。
【請求項９】
ＨＵＤ領域は平坦な水平方向の厚さプロファイルを有する、請求項１に記載のフロントガラス。
【請求項１０】
中間膜及びパネルはそれぞれ、上側取付縁部、下側取付縁部、運転席側取付縁部、及び助手席側取付縁部を含み、中間膜の上側及び下側取付縁部は、フロントガラスが取付位置にある際に互いから垂直方向に離隔して互いに対して平行であり、中間膜の運転席側取付縁部及び助手席側取付縁部は、それぞれ中間膜の上側取付縁部及び下側取付縁部と接していて、フロントガラスが取付位置にある際に互いから水平方向に離隔して互いに対して平行であり、ＨＵＤ領域は、中間膜の上側取付縁部よりも中間膜の下側取付縁部に近接して配置されている、請求項１に記載のフロントガラス。
【請求項１１】
ＨＵＤ領域は、中間膜の上側取付縁部から離隔してそれに対して平行の上側取付ＨＵＤ境界、及び中間膜の下側取付縁部から離隔してそれに対して平行の下側取付ＨＵＤ境界によって画定されており、上側ＨＵＤ境界及び下側ＨＵＤ境界は、フロントガラスの運転席側取付縁部と助手席側取付縁部の間の距離の少なくとも４０％に及んでいる、請求項１０に記載のフロントガラス。
【請求項１２】
中間膜又は中間膜を含むフロントガラスを製造する方法であって、
（ａ）目標中間膜のＨＵＤ領域に関する規定の縦方向くさび角度プロファイルを得て；そして
（ｂ）中間膜を形成して形成された中間膜を与える；
ことを含み；
ここで、形成された中間膜はＨＵＤ領域を画定しており、形成は、形成された中間膜のＨＵＤ領域の少なくとも５０％が、目標中間膜のＨＵＤ領域に関する規定の縦方向くさび角度プロファイルから０．１０ｍｒａｄ以下変動する縦方向くさび角度プロファイルを有するように行う上記方法。
【請求項１３】
形成を、形成された中間膜のＨＵＤ領域の少なくとも５０％が、目標中間膜のＨＵＤ領域に関する規定の縦方向くさび角度プロファイルから０．０７５ｍｒａｄ以下変動する縦方向くさび角度プロファイルを有するように行う、請求項１２に記載の方法。
【請求項１４】
フロントガラスを製造する方法であって、１対のグレージングパネルの間に形成された中間膜を積層してフロントガラスを形成することを更に含み；
フロントガラスは、そのフロントガラスに関する標準取付条件において測定して、２分未満の上部アイボックス反射二重像分離距離、及び２分未満の下部アイボックス反射二重像分離距離の少なくとも１つを示す、請求項１２に記載の方法。
【請求項１５】
中間膜を含むフロントガラスを製造する方法であって、
（ａ）目標中間膜のＨＵＤ領域に関する規定の縦方向くさび角度プロファイルを得て；
（ｂ）中間膜を形成して形成された中間膜を与え、ここで、形成された中間膜はＨＵＤ領域を画定しており、形成は、形成された中間膜のＨＵＤ領域の少なくとも５０％が、目標中間膜のＨＵＤ領域に関する規定の縦方向くさび角度プロファイルから０．１０ｍｒａｄ以下変動する縦方向くさび角度プロファイルを有するように行い；そして
（ｃ）形成された中間膜を１対のグレージングパネルの間に積層してフロントガラスを形成し、ここでフロントガラスは、そのフロントガラスに関する標準取付条件において測定して、２分未満の上部アイボックス反射二重像分離距離、及び２分未満の下部アイボックス反射二重像分離距離の少なくとも１つを示す；
ことを含む上記方法。
【手続補正２】
【補正対象書類名】明細書
【補正対象項目名】０１１８
【補正方法】変更
【補正の内容】
【０１１８】
[0148]更に、本発明の任意の単一の構成要素に関して与えられている任意の範囲、値、又は特徴は、互換的な場合には、本発明の任意の他の構成要素に関して与えられている任意の範囲、値、又は特徴と互換的に用いて、本明細書全体にわたって与えられているそれぞれの構成要素に関して規定されている値を有する一態様を形成することができることが理解される。例えば、与えられている任意の範囲の可塑剤を含むことに加えて、与えられている任意の範囲の残留ヒドロキシル含量を有するポリ（ビニルブチラール）を含む中間膜を形成して、本発明の範囲内であるが、列記するのは煩雑である多くの変形体を形成することができる。更に、フタレート又はベンゾエートのような属又はカテゴリーに関して与えられている範囲はまた、他に示していない限りにおいて、ジオクチルテレフタレートのようなそのカテゴリーの属又は構成要素の中の種に適用することもできる。
本発明は以下の実施態様を含む。
（１）１対のグレージングパネル；及び
グレージングパネルの間に配置されてそれぞれと接触しており、ＨＵＤ領域を画定し、ＨＵＤ領域は少なくとも１つの変動角度の区域を含むテーパー状の縦方向の厚さプロファイルを有するポリマー中間膜；
を含むフロントガラスであって、
フロントガラスは、そのフロントガラスに関する標準取付条件において測定して、２分未満の上部アイボックス反射二重像分離距離、及び２分未満の下部アイボックス反射二重像分離距離の少なくとも１つを示す上記フロントガラス。
（２）フロントガラスは、そのフロントガラスに関する標準取付条件において測定して、２分未満の上部アイボックス反射二重像分離距離、及び２分未満の下部アイボックス反射二重像分離距離の両方を示す、（１）に記載のフロントガラス。
（３）フロントガラスは、そのフロントガラスに関する標準取付条件において測定して、１分未満の上部アイボックス反射二重像分離距離、及び１分未満の下部アイボックス反射二重像分離距離の少なくとも１つを示す、（１）に記載のフロントガラス。
（４）ＨＵＤ領域は、ＨＵＤ領域の少なくとも一部にわたって増加する縦方向のくさび角度プロファイルを有する、（１）に記載のフロントガラス。
（５）ＨＵＤ領域は、ＨＵＤ領域の少なくとも一部にわたって減少する縦方向のくさび角度プロファイルを有する、（１）に記載のフロントガラス。
（６）ＨＵＤ領域は、ＨＵＤ領域の少なくとも一部にわたって一定に維持される縦方向のくさび角度プロファイルを有する、（１）に記載のフロントガラス。
（７）テーパー状の縦方向の厚さプロファイルは少なくとも２つの変動角度の区域を含む、（１）に記載のフロントガラス。
（８）テーパー状の縦方向の厚さプロファイルは一定角度の区域を含まない、（１）に記載のフロントガラス。
（９）ＨＵＤ領域は平坦な水平方向の厚さプロファイルを有する、（１）に記載のフロントガラス。
（１０）中間膜及びパネルはそれぞれ、上側取付縁部、下側取付縁部、運転席側取付縁部、及び助手席側取付縁部を含み、中間膜の上側及び下側取付縁部は、フロントガラスが取付位置にある際に互いから垂直方向に離隔して互いに対して平行であり、中間膜の運転席側取付縁部及び助手席側取付縁部は、それぞれ中間膜の上側取付縁部及び下側取付縁部と接していて、フロントガラスが取付位置にある際に互いから水平方向に離隔して互いに対して平行であり、ＨＵＤ領域は、中間膜の上側取付縁部よりも中間膜の下側取付縁部に近接して配置されている、（１）に記載のフロントガラス。
（１１）ＨＵＤ領域は、中間膜の上側取付縁部から離隔してそれに対して平行の上側取付ＨＵＤ境界、及び中間膜の下側取付縁部から離隔してそれに対して平行の下側取付ＨＵＤ境界によって画定されており、上側ＨＵＤ境界及び下側ＨＵＤ境界は、フロントガラスの運転席側取付縁部と助手席側取付縁部の間の距離の少なくとも４０％に及んでいる、（１０）に記載のフロントガラス。
（１２）中間膜又は中間膜を含むフロントガラスを製造する方法であって、
（ａ）目標中間膜のＨＵＤ領域に関する規定の縦方向くさび角度プロファイルを得て；そして
（ｂ）中間膜を形成して形成された中間膜を与える；
ことを含み；
ここで、形成された中間膜はＨＵＤ領域を画定しており、形成は、形成された中間膜のＨＵＤ領域の少なくとも５０％が、目標中間膜のＨＵＤ領域に関する規定の縦方向くさび角度プロファイルから０．１０ｍｒａｄ以下変動する縦方向くさび角度プロファイルを有するように行う上記方法。
（１３）形成を、形成された中間膜のＨＵＤ領域の少なくとも９０％が、目標中間膜のＨＵＤ領域に関する規定の縦方向くさび角度プロファイルから０．１０ｍｒａｄ以下変動する縦方向くさび角度プロファイルを有するように行う、（１２）に記載の方法。
（１４）形成を、形成された中間膜のＨＵＤ領域のいずれも、目標中間膜のＨＵＤ領域に関する規定の縦方向くさび角度プロファイルから０．１０ｍｒａｄより多く変動する縦方向くさび角度プロファイルを有しないように行う、（１２）に記載の方法。
（１５）形成を、形成された中間膜のＨＵＤ領域の少なくとも５０％が、目標中間膜のＨＵＤ領域に関する規定の縦方向くさび角度プロファイルから０．０７５ｍｒａｄ以下変動する縦方向くさび角度プロファイルを有するように行う、（１２）に記載の方法。
（１６）形成された中間膜のＨＵＤ領域が少なくとも１つの変動角度の区域を含む、（１２）に記載の方法。
（１７）フロントガラスを製造する方法であって、１対のグレージングパネルの間に形成された中間膜を積層してフロントガラスを形成することを更に含み；
フロントガラスは、そのフロントガラスに関する標準取付条件において測定して、２分未満の上部アイボックス反射二重像分離距離、及び２分未満の下部アイボックス反射二重像分離距離の少なくとも１つを示す、（１２）に記載の方法。
（１８）中間膜を含むフロントガラスを製造する方法であって、
（ａ）目標中間膜のＨＵＤ領域に関する規定の縦方向くさび角度プロファイルを得て；
（ｂ）中間膜を形成して形成された中間膜を与え、ここで、形成された中間膜はＨＵＤ領域を画定しており、形成は、形成された中間膜のＨＵＤ領域の少なくとも５０％が、目標中間膜のＨＵＤ領域に関する規定の縦方向くさび角度プロファイルから０．１０ｍｒａｄ以下変動する縦方向くさび角度プロファイルを有するように行い；そして
（ｃ）形成された中間膜を１対のグレージングパネルの間に積層してフロントガラスを形成し、ここでフロントガラスは、そのフロントガラスに関する標準取付条件において測定して、２分未満の上部アイボックス反射二重像分離距離、及び２分未満の下部アイボックス反射二重像分離距離の少なくとも１つを示す；
ことを含む上記方法。
（１９）形成を、形成された中間膜のＨＵＤ領域の少なくとも９０％が、目標中間膜のＨＵＤ領域に関する規定の縦方向くさび角度プロファイルから０．１０ｍｒａｄ以下変動する縦方向くさび角度プロファイルを有するように行う、（１８）に記載の方法。
（２０）フロントガラスは、そのフロントガラスに関する標準取付条件において測定して、１分未満の上部アイボックス反射二重像分離距離、及び１分未満の下部アイボックス反射二重像分離距離の少なくとも１つを示す、（１８）に記載の方法。